(57)【要約】      （修正有）【課題】スロットイン方式のディスク装置で、径の異なるディスクに対応でき、装置の薄型化を図りつつ、スピンドルモータへのディスクの装着動作を確実に行う。【解決手段】内部トレイを第２のローディングスライダ６９に係合させ、固定駆動ピニオン６６の回転によってトラバーススライダ６３をフロント側に、第１のローディングスライダ６８をリア側に移動させ、移動駆動ピニオン６７を第１のローディングスライダ６８とともにリア側に移動させ、トラバーススライダ６３のフロント側への移動によって移動駆動ピニオン６７を反時計方向に回転させ、トラバーススライダ６３の移動による移動駆動ピニオン６７の回転と、移動駆動ピニオン６７の移動による移動駆動ピニオン６７の回転とによって、第２のローディングスライダ６９をリア側に移動する。【選択図】図４
2008165867.tif 000002
【特許請求の範囲】
【請求項１】
ベース本体と蓋体とから構成されたシャーシ外装と、
前記シャーシ外装のフロント面に形成したディスク挿入口と、
前記ベース本体と前記蓋体との間で変位するトラバースベースと、
前記シャーシ外装のフロント側とリア側との間を前後方向に移動可能な内部トレイと、
前記トラバースベースを変位させるとともに前記内部トレイを移動させるスライダー機構とを設けたディスク装置であって、
前記スライダー機構を、
前記トラバースベースを変位させるカム機構を備えたトラバーススライダーと、
前記トラバーススライダーを動作させる固定駆動ピニオンと、
前記固定駆動ピニオンによって動作する第１のローディングスライダーと、
前記第１のローディングスライダーに連結されたピニオン台と、
前記ピニオン台に設けられた移動駆動ピニオンと、
前記移動駆動ピニオンによって動作する第２のローディングスライダーと、
モーターの回転を前記固定駆動ピニオンに伝達するギア群とで構成し、
前記内部トレイを前記第２のローディングスライダーに係合させ、
前記固定駆動ピニオンの回転によって前記トラバーススライダーをフロント側に、前記第１のローディングスライダーをリア側に移動させ、前記移動駆動ピニオンを前記第１のローディングスライダーとともにリア側に移動させ、前記トラバーススライダーのフロント側への移動によって前記移動駆動ピニオンを反時計方向に回転させ、前記トラバーススライダーの移動による前記移動駆動ピニオンの回転と、前記移動駆動ピニオンの移動による前記移動駆動ピニオンの回転とによって、前記第２のローディングスライダーをリア側に移動させることを特徴とするディスク装置。
【請求項２】
前記トラバーススライダーを、前記トラバースベースの側部に、前後方向に移動可能に設け、前記第１のローディングスライダーを、前記固定駆動ピニオンをはさんで、前記トラバーススライダーと対向した位置に配置し、前記第２のローディングスライダーを、前記移動駆動ピニオンをはさんで、前記トラバーススライダーと対向した位置に配置したことを特徴とする請求項１に記載のディスク装置。
【請求項３】
前記トラバースベースの変位を行わない時も、前記トラバーススライダーを前記固定駆動ピニオンによって移動させ、前記第１のローディングスライダーが、前記固定移動スライダーから切り離され、前記移動駆動ピニオンの移動が停止した後に、前記トラバーススライダーの移動により前記移動駆動ピニオンを回転させ、前記第２のローディングスライダーをさらに移動させることを特徴とする請求項１に記載のディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できる、いわゆるスロットイン方式のディスク装置に関する。
【背景技術】
【０００２】
従来のディスク装置として、ローディングモータによりレバー等でディスクを直接操作する、いわゆるスロットイン方式のディスク装置が存在する（例えば特許文献１）。
スロットイン方式のディスク装置は、ディスクの出し入れの操作性をよくすることに特徴がある。
【特許文献１】特開２００２−３５２４９８号公報
【発明の開示】
【発明が解決しようとする課題】
【０００３】
しかし、特許文献１記載のディスク装置では、径の異なるディスクに対応できていなかった。
【０００４】
そこで本発明は、スロットイン方式のディスク装置で、径の異なるディスクに対応するための内部トレイを確実に動作させることができるディスク装置を提供することを目的とする。
【課題を解決するための手段】
【０００５】
請求項１記載の本発明のディスク装置は、ベース本体と蓋体とから構成されたシャーシ外装と、前記シャーシ外装のフロント面に形成したディスク挿入口と、前記ベース本体と前記蓋体との間で変位するトラバースベースと、前記シャーシ外装のフロント側とリア側との間を前後方向に移動可能な内部トレイと、前記トラバースベースを変位させるとともに前記内部トレイを移動させるスライダー機構とを設けたディスク装置であって、前記スライダー機構を、前記トラバースベースを変位させるカム機構を備えたトラバーススライダーと、前記トラバーススライダーを動作させる固定駆動ピニオンと、前記固定駆動ピニオンによって動作する第１のローディングスライダーと、前記第１のローディングスライダーに連結されたピニオン台と、前記ピニオン台に設けられた移動駆動ピニオンと、前記移動駆動ピニオンによって動作する第２のローディングスライダーと、モーターの回転を前記固定駆動ピニオンに伝達するギア群とで構成し、前記内部トレイを前記第２のローディングスライダーに係合させ、前記固定駆動ピニオンの回転によって前記トラバーススライダーをフロント側に、前記第１のローディングスライダーをリア側に移動させ、前記移動駆動ピニオンを前記第１のローディングスライダーとともにリア側に移動させ、前記トラバーススライダーのフロント側への移動によって前記移動駆動ピニオンを反時計方向に回転させ、前記トラバーススライダーの移動による前記移動駆動ピニオンの回転と、前記移動駆動ピニオンの移動による前記移動駆動ピニオンの回転によって、前記第２のローディングスライダーをリア側に移動させることを特徴とする。
請求項２記載の本発明は、請求項１に記載のディスク装置おいて、前記トラバーススライダーを、前記トラバースベースの側部に、前後方向に移動可能に設け、前記第１のローディングスライダーを、前記固定駆動ピニオンをはさんで、前記トラバーススライダーと対向した位置に配置し、前記第２のローディングスライダーを、前記移動駆動ピニオンをはさんで、前記トラバーススライダーと対向した位置に配置したことを特徴とする。
請求項３記載の本発明は、請求項１に記載のディスク装置おいて、前記トラバースベースの変位を行わない時も、前記トラバーススライダーを前記固定駆動ピニオンによって移動させ、前記第１のローディングスライダーが、前記固定移動スライダーから切り離され、前記移動駆動ピニオンの移動が停止した後に、前記トラバーススライダーの移動により前記移動駆動ピニオンを回転させ、前記第２のローディングスライダーをさらに移動させることを特徴とする。
【発明の効果】
【０００６】
本発明によれば、第２のローディングスライダーの移動量を、第１のローディングスライダーの移動量に対して３倍の移動量とすることができ、限られたスペースで大きなストロークを確保することができる。
【発明を実施するための最良の形態】
【０００７】
本発明の第１の実施の形態によるディスク装置は、スライダー機構を、トラバースベースを変位させるカム機構を備えたトラバーススライダーと、トラバーススライダーを動作させる固定駆動ピニオンと、固定駆動ピニオンによって動作する第１のローディングスライダーと、第１のローディングスライダーに連結されたピニオン台と、ピニオン台に設けられた移動駆動ピニオンと、移動駆動ピニオンによって動作する第２のローディングスライダーと、モーターの回転を固定駆動ピニオンに伝達するギア群とで構成し、内部トレイを第２のローディングスライダーに係合させ、固定駆動ピニオンの回転によってトラバーススライダーをフロント側に、第１のローディングスライダーをリア側に移動させ、移動駆動ピニオンを第１のローディングスライダーとともにリア側に移動させ、トラバーススライダーのフロント側への移動によって移動駆動ピニオンを反時計方向に回転させ、トラバーススライダーの移動による移動駆動ピニオンの回転と、移動駆動ピニオンの移動による移動駆動ピニオンの回転によって、第２のローディングスライダーをリア側に移動させるものである。本実施の形態によれば、トラバーススライダーの移動を第２のローディングスライダーの移動にも利用することで、第２のローディングスライダーの移動量を、第１のローディングスライダーの移動量に対して３倍の移動量とすることができ、限られたスペースで大きなストロークを確保することができる。
【実施例】
【０００８】
図１は本発明の一実施例におけるディスク装置のシャーシ外装を示す外観斜視図、図２は同ディスク装置のベース本体の主要部を示す概念構成図、図３は同ディスク装置の内部トレイの主要部を示す概略構成図、図４は同ディスク装置の駆動ユニットの主要部を示す概略構成図である。
まず、図１に示すように、本実施例によるディスク装置は、ベース本体１１と蓋体１２とからシャーシ外装１０が構成され、このシャーシ外装１０のフロント面にベゼル１３が装着される。本実施例によるディスク装置は、ベゼル１３に設けたディスク挿入口１４からディスクＡを直接挿入するスロットイン方式のディスク装置である。
蓋体１２の中央部には、開口部１５が設けられている。この開口部１５は、ディスクＡの中心孔よりも大きな径の円形開口である。開口部１５の外周には、ベース本体１１に向かって突出する凸状部１６が設けられている。
【０００９】
次に、図２に示すように、ベース本体１１には、トラバースベース２０と、内部トレイ４０と、スライダー機構６０が設けられている。
トラバースベース２０には、スピンドルモータ２１とピックアップ２２とこのピックアップ２２を移動させる駆動手段２３とを設けている。スピンドルモータ２１は、ベース本体１１の略中心に位置するようにトラバースベース２０の一端側に設けている。ピックアップ２２は、待機状態にある時にはトラバースベース２０の他端側に配置され、この待機位置からスピンドルモータ２１に近接する位置まで移動可能に設けている。
トラバースベース２０のリア側は、プリント基板が配設される基板ベース１７となっている。スライダー機構６０は、トラバースベース２０と基板ベース１７との間、及びトラバースベース２０と基板ベース１７との側部に設けられている。なお、スライダー機構６０を駆動するモーター６１やこのモーター６１の回転を伝達するギア群６２は、基板ベース１７側に配置されている。
従って、ピックアップ２２は、ディスク回転の中心よりも、シャーシ外装１０のフロント面側（ディスク出し入れ側）に配置され、ピックアップ２２、モーター６１、ギア群６２、及びリードスクリュー駆動機構は、ディスクの下部に配置される。トラバースベース２０は、外周側よりも内周側を大きく上下動させ、ピックアップ２２、モーター６１、ギア群６２、及びリードスクリュー駆動機構は、外周側に配置される。
内部トレイ４０がシャーシ外装１０のフロント面側にある時は、内部トレイ４０は、スピンドルモータ２１のターンテーブル中央凸部のリア側、ターンテーブルのディスク受け面の上、及びトラバースベース２０の上側に配置される。また、内部トレイ４０がシャーシ外装１０のリア面側にある時は、内部トレイ４０は、トラバースベース２０の上から外れるように配置される。
【００１０】
スライダー機構６０を構成する第１のトラバーススライダー６３は、トラバースベース２０と基板ベース１７との側部に、前後方向に移動可能に設けられている。また、スライダー機構６０を構成する第２のトラバーススライダー６４は、トラバースベース２０と基板ベース１７との間に、左右方向に移動可能に設けられている。第１のトラバーススライダー６３と第２のトラバーススライダー６４とは連結レバー６５によって連結されている。第１のトラバーススライダー６３には、第１のトラバーススライダー６３の移動動作によって、連結レバー６５が回転する部分と、連結レバー６５が回転しないように位置規制される部分を有するカムが構成されている。そして、トラバースベース２０が変位動作する時には、第１のトラバーススライダー６３と第２のトラバーススライダー６４とはともに動作し、トラバースベース２０が変位動作しない時には、第１のトラバーススライダー６３のみが動作する。第２のトラバーススライダー６４は、第１のトラバーススライダー６３とともに動作する。そして、トラバースベース２０と第１のトラバーススライダー６３とはカム機構（図示せず）によって連結され、またトラバースベース２０と第２のトラバーススライダー６４ともカム機構（図示せず）によって連結されている。またトラバースベース２０は、ディスク挿入口１４側において、仮想の回転支持軸Ｘにより回転支持されている。従って、トラバースベース２０は、第１のトラバーススライダー６３と第２のトラバーススライダー６４との動作によって、スピンドルモータ２１がベース本体１１と蓋体１２との間で変位する構成となっている。
【００１１】
図３に示すように、内部トレイ４０には、ディスクＡの一方の側方端部を支持するディスク当接部４１Ａが旋回動作するロードレバーＲ（第１のディスク保持部）４１と、ディスクＡのリア側端部を支持するディスク当接部４２Ａが前後動するセレクトレバー（第２のディスク保持部）４２と、ディスクＡの他方の側方端部を支持するディスク当接部４３Ａが旋回動作するロードレバーＬ（第３のディスク保持部）４３が設けられている。なお、ディスク当接部４１Ａの旋回中心が移動するため、ディスク当接部４１Ａは、正確な旋回動作とはならない。
図４に示すように、スライダー機構６０として、固定駆動ピニオン６６と、移動駆動ピニオン６７と、第１のローディングスライダー６８と、第２のローディングスライダー６９とを備えている。固定駆動ピニオン６６は、ギア群６２と連結され、第１のトラバーススライダー６３と第１のローディングスライダー６８とを動作させる。第１のトラバーススライダー６３と第１のローディングスライダー６８とは、固定駆動ピニオン６６をはさんで、対向した位置に配置している。移動駆動ピニオン６７は、ピニオン台７０に設けられ、第１のトラバーススライダー６３とギア連結され、第２のローディングスライダー６９を動作させる。第２のローディングスライダー６９は、移動駆動ピニオン６７をはさんで、第１のトラバーススライダー６３と対向した位置に配置している。
なお、ピニオン台７０は、第１のローディングスライダー６８に設けられ、第１のローディングスライダー６８とともに動作する。ピニオン台７０は、第１のローディングスライダー６８に前後動可能に設けられ、第１のローディングスライダー６８に対して移動する時には大きな力が必要になるように付勢バネ（図示なし）等により、フロント側に付勢されて、位置が保持されている。付勢バネ等による付勢荷重は、通常の動作時にピニオン台７０に掛かる荷重よりも大きく設定されており、通常の動作時にはピニオン台７０はフロント側に位置が保持されている。異常時のように過大荷重の発生時には、ピニオン台７０が第１のローディングスライダー６８に対して移動することで破壊を防止する。付勢は、フックを横から付勢バネ（板バネ）で押し、フックが移動する時の初期動作時にはフックが傾斜面を乗り越えなくてはならないようにし、位置保持の荷重を大きくし、移動ストロークを大きく取れるようにしている。付勢は引っ張りコイルバネを併用し、乗り越え後の復帰を可能とするとともに、保持荷重を大きくしている。
内部トレイ４０は、シャーシ外装１０のフロント側とリア側との間を第１のローディングスライダー６８と第２のローディングスライダー６９によって前後に移動可能に設けている。
【００１２】
図５から図１０は本実施例におけるディスク装置の内部トレイの具体例を示し、図５から図７は大径ディスクの挿入状態を示す平面図、図８及び図９は小径ディスクの挿入状態を示す平面図、図１０は斜視図である。
まず、図５を用いて内部トレイの構成を説明する。
内部トレイ４０には、ロードレバーＲ４１の旋回動作によって前後動するロードリンクレバー４４と、ロードリンクレバー４４のリア側端部のカム溝４４Ａとカムピン４５Ａによって連結されるロードリンクアーム４５と、一端側をロードリンクアーム４５のカムピン４５Ｂとカム溝４６Ａによって連結されるリンクレバー４６とを設けている。リンクレバー４６の他端側にはカム溝４６Ｂを有している。ロードレバーＬ４３の一端側にはディスク当接部４３Ａを有している。また、ロードレバーＬ４３の他端側にはカムピン４３Ｂを有し、リンクレバー４６の他端側のカム溝４６Ｂと連結されている。カムピン４５Ｂは、ピン４５Ｃを中心として旋回する。
また、内部トレイ４０には、逃がし溝４０Ａと、カム溝４０Ｂ、４０Ｃを有している。逃がし溝４０Ａは、リンクレバー４６の一端側に設けられ、ロードリンクアーム４５のカムピン４５Ｂが干渉しないように形成している。カム溝４０Ｂは、リンクレバー４６の他端側に設けられ、ロードレバーＬ４３のカムピン４３Ｂが摺動する。カム溝４０Ｃは、ロードレバーＬ４３のカムピン４３Ｃが摺動する。
ロードレバーＲ４１は、軸４１Ｂのリア側に位置するピン４１Ｚ付近を中心として概略旋回動作し、ピン４１Ｃによってロードリンクレバー４４と連結されている。すなわち、ロードレバーＲ４１のリア側端部はピン４１Ｚの外径をすべり、ピン４１Ｃがロードリンクレバー４４とともに前後に移動する。これによりディスク当接部４１Ａは概略旋回動作をする。ロードリンクアーム４５は、軸４５Ｃを中心として旋回動作する。なお、ロードリンクアーム４５には、大径用規制ピン４５Ｄと小径用規制ピン４５Ｅを有している。大径用規制ピン４５Ｄは、大径のディスクＡが挿入された場合のディスク保持動作を行うもので、小径用規制ピン４５Ｅは、小径のディスクＢが挿入された場合のディスク保持動作を行うものである。リンクレバー４６には、長手方向にガイド溝４６Ｃを有し、内部トレイ４０のピン４０Ｄが摺動する。
【００１３】
また、内部トレイ４０には、セットレバー４７を設けている。セットレバー４７は、一端側にディスク当接部４７Ａを、他端側に軸４７Ｂを有し、軸４７Ｂを中心として回動する。
また、内部トレイ４０には、ロードリンクレバー４４の前後動によって変位するディテクトスイングレバー４８と、セレクトレバー４２とともに前後動するディテクトレバー４９及びチェックスライダー５０とを有している。ディテクトレバー４９にはセレクトレバー４２の凸部４２Ｂを受ける溝部５０Ａが形成されている。この溝部５０Ａの一端側にはセレクトレバー４２の第１の固定位置となる第１設定溝部５０Ｂを、溝部５０Ａの他端側にはセレクトレバー４２の第２の固定位置となる第２設定溝部５０Ｃを有し、溝部５０Ａ、第１設定溝部５０Ｂ、及び第２設定溝部５０ＣによってＺ字状の溝を形成している。
【００１４】
なお、チェックスライダー５０が最もリア側へ移動した時に動作するインナートレイフック（図示せず）が設けられている。このインナートレイフックは、チェックスライダー５０が当接する一端にはピンを有し、支点を中心に所定角度回動可能に配置されている。また、インナートレイフックの他端には裏面側に突出させたピンを有している。このピンは、図１に示すベース本体１１側の溝と係合しており、チェックレバー５１がチェックスライダー５０によってリア側に押されているディテクトレバー４９によって回動すると、内部トレイ４０のロックが外され、チェックスライダー５０のリア側移動を規制する構成となっている。すなわち、ディテクトレバー４９による押圧を受けない状態では、インナートレイフックのピンによって内部トレイ４０はベース本体１１上で固定され、ディテクトレバー４９による押圧を受けた状態では、内部トレイ４０はベース本体１１上を移動可能で、チェックスライダー５０は、内部トレイ４０上での移動が規制されている。
【００１５】
次に図５から図７を用いて大径ディスクの挿入動作について説明する。
図１に示すように、ディスク挿入口１４からディスクを押し込むと、ディスクＡは、まず、ロードレバーＲ４１のディスク当接部４１Ａに当接し、つぎに、セレクトレバー４２のディスク当接部４２Ａに当接する。さらにディスクＡを押し込むと、図５に示すように、セレクトレバー４２はディスクＡによってリア側に押し込まれ、ロードレバーＲ４１は軸４１Ｂのリア側にあるピン４１Ｚ付近を中心として概略旋回動作してディスク当接部４１Ａが外方向に回動する。ロードレバーＲ４１の回動によってピン４１Ｃがフロント側に移動し、このピン４１Ｃとともにロードリンクレバー４４もフロント側に移動する。ロードリンクレバー４４がフロント側に移動することで、ロードリンクアーム４５はカムピン４５Ａがフロント側に移動し、カムピン４５Ｂがリア側に移動する。このカムピン４５Ｂの移動によってリンクレバー４６はロードレバーＬ４３側に移動する。そしてリンクレバー４６が移動することで、ロードレバーＬ４３のカムピン４３Ｂはカム溝４６Ｂ内を摺動してロードレバーＬ４３をフロント側へ移動させる。ロードレバーＬ４３がフロント側へ移動することでカムピン４３Ｃはカム溝４０Ｃ内を移動し、ロードレバーＬ４３のロックが解除される。
【００１６】
上記の動作を継続し、図６に示す状態までディスクＡが押し込まれると、ロードリンクレバー４４のフロント側への移動によってディテクトスイングレバー４８が所定角度回動する。このディテクトスイングレバー４８の回動によってディテクトレバー４９は、ロードレバーＬ４３側（図の左側）に移動させられる。ディテクトレバー４９がロードレバーＬ４３側に移動することで第１設定溝部５０Ｂに配置されていた凸部４２Ｂは溝部５０Ａに移動する。このように凸部４２Ｂが溝部５０Ａに配置されることで、セレクトレバー４２がディスクＡによって押し込まれると、凸部４２Ｂは溝部５０Ａ内をリア側に摺動する。なお、図６に示す状態では、ディスクＡはロードレバーＬ４３のディスク当接部４３Ａにも当接し、ロードレバーＬ４３もカム溝４０Ｂ内のピン４３Ｂを中心に回動を始める。
【００１７】
図７に示す状態までディスクＡが押し込まれると、ディテクトスイングレバー４８はディテクトレバー４９を押圧し続けているので、凸部４２Ｂは溝部５０Ａのリア側端部まで移動する。その後に、ディテクトレバー４９のリア側端部が、内部トレイ４０の後端部の傾斜カム面により、ロードレバーＬ４３側（図の左側）に移動させられることで、第２設定溝部５０Ｃに配置される。ディスクＡが押し込まれることで、チェックスライダー５０はリア側へ移動し、チェックスライダー５０のリア側のカムはロードリンクアーム４５のピン４５Ｄを押し、ロードリンクアーム４５を反時計周りに旋回させ、逆に回らないように固定する。ロードリンクレバー４４はリア側へ移動することで、ロードレバー４１のピン４１Ｃはリア側へ移動して固定される。この時、ロードレバー４１のリア側端部はピン４１Ｚに接しているので、ディスク当接部４１Ａが内側へ移動して固定され、ディスクが保持される。図７は、ディスクＡの内部トレイ４０への保持を完了した状態を示している。
【００１８】
次に図８と図９を用いて小径ディスクの挿入動作について説明する。
ディスクＢを押し込むと、ディスクＢは、ディスクＡの場合と同様に、セレクトレバー４２のディスク当接部４２ＡとロードレバーＲ４１のディスク当接部４１Ａに当接し、さらにディスクＡを押し込むと、図８に示すように、セレクトレバー４２はディスクＢによってリア側に押し込まれ、ロードレバーＲ４１は軸４１Ｂのリア側にあるピン４１Ｚ付近を中心にして概略旋回動作し、ディスク当接部４１Ａが外方向に回動する。しかし、ロードレバーＲ４１は、ピン４１Ｃ周りに旋回するが、旋回量が小さいため、ロードリンクレバー４４はフロント側へ移動しない。ロードリンクレバー４４がフロント側に移動しないため、ロードリンクアーム４５も回動しない。従ってリンクレバー４６も移動しない。そしてリンクレバー４６が移動しないので、ロードレバーＬ４３も移動せず、カムピン４３Ｃはロック状態が保持される。
【００１９】
上記の動作を継続し、図９に示す状態までディスクＢが押し込まれると、チェックスライダー５０がリア側へ移動し、チェックスライダー５０のリア側端部のカムがロードリンクアーム４５のピン４５Ｅを押し、ロードリンクアーム４５を反時計周りに旋回させ、逆に回らないように固定する。ロードリンクレバー４４がリア側へ移動することで、ロードレバー４１のピン４１Ｃがリア側へ移動し固定され、ロードレバー４１のリア側端部は、ピン４１Ｚに接し４１Ａが、内側へ移動して固定され、ディスクＢの内部トレイへの保持を完了する。
なおロードリンクレバー４４がフロント側へは移動しない（リア側へ移動する）ので、ディテクトスイングレバー４８は回動せず、ディテクトレバー４９は、ロードレバーＲ４１側（図の右側）に押圧された状態を保持し、凸部４２Ｂは第１設定溝部５０Ｂに保持される。図９は、ディスクＡの内部トレイ４０への保持を完了した状態を示し、ディスクＢはロードレバーＲ４１のディスク当接部４１Ａ、セレクトレバー４２のディスク当接部４２Ａ、ロードレバーＬ４３のディスク当接部４３Ａによって保持されている。
図７に示す状態、及び図９に示す状態では、ディスクＡの内部トレイ４０への保持を完了するとともに、インナートレイフックがチェックスライダー５０によってリア側に押されているディテクトレバー４９による押圧を受け、インナートレイフックは所定角度回動する。インナートレイフックの回動によって内部トレイ４０はベース本体１１上を移動する。
【００２０】
図１１から図１７は本実施例におけるディスク装置のスライダー機構の具体例を示し、図１１はスタンバイの状態を示す要部平面図、図１２は第１のローディングスライダーの移動完了状態を示す要部平面図、図１３は引き込み完了手前の状態を示す要部平面図、図１４は引き込み完了の状態を示す要部平面図、図１５はローディング完了の状態を示す要部平面図、図１６は第１のトラバーススライダー移動完了の状態を示す要部平面図、図１７はイジェクト移動完了の状態を示す要部平面図である。
まず、図１１を用いてスライダー機構の構成を説明する。
第１の切り換えレバー７１は、一端側に軸７１Ａを有し、他端側にカムピン７１Ｂ、７１Ｃを有している。第１の切り換えレバー７１は、軸７１Ａを中心に回動する。カムピン７１Ｂは、第１のローディングスライダー６８のカム溝６８Ａ内を、カムピン７１Ｃは、第１のトラバーススライダー６３のカム溝６３Ａ内を摺動する。
第２の切り換えレバー７２は、反時計周りに回動する時は、まず、軸７２Ｚを中心に回動し、所定低位置まで回動した後、軸７２Ｙを中心に回動し、時計周りに回動する時は、軸７２Ｙを中心に回動した後、軸７２Ｚを中心に回動する。カムピン７２Ｂは、第１のトラバーススライダー６３に形成されたカム溝６３Ｂ内を摺動する。また、第２の切り換えレバー７２は、カムピン７２Ｃ、７２Ｄを有している。
ギア群６２、固定駆動ピニオン６６、第１の切り換えレバー７１の軸７１Ａ、及び第２の切り換えレバー７２の軸７２Ａは、ベース本体側部材１１Ａに固定されている。また、ベース本体側部材１１Ａには、内部トレイ位置検出器８１、ロード完了位置検出器８２、第２のローディングスライダー６９のスタンバイ位置を検出するスタンバイ検出器８３、及び第１のローディングスライダー６８の位置を検出するイジェクト位置検出器８４がそれぞれ設けられている。なおベース本体側部材１１Ａは、ベース本体１１に固定されている。
【００２１】
次に、スライダー機構の動作を説明する。
まず、内部トレイ４０にディスクが保持され、内部トレイ４０がベース本体１１に対してリア側に向けて所定距離を押し込まれると、内部トレイ位置検出器８１がディスク保持完了を検出して、モーター６１が回転を開始する。
モーター６１が回転を始めると、図１１において、固定駆動ピニオン６６が回転して、第１のトラバーススライダー６３をフロント側に、第１のローディングスライダー６８をリア側に移動させる。なお、移動駆動ピニオン６７は、第１のローディングスライダー６８とともにリア側に移動する。
この時、第１のトラバーススライダー６３のフロント側への移動によって、移動駆動ピニオン６７は反時計方向に回転する。第１のトラバーススライダー６３の移動による移動駆動ピニオン６７の回転と、移動駆動ピニオン６７自体の移動による回転によって、第２のローディングスライダー６９はリア側に高速で（第１のトラバーススライダー６３の移動速度の３倍の速度で）移動する。なお、第１のローディングスライダー６８は、第１のトラバーススライダー６３の移動速度と同じ速度で、向きは反対に移動する。
【００２２】
第１のローディングスライダー６８は、移動完了手前で、固定駆動ピニオン６６との係合が解除される。第１のローディングスライダー６８のラックが固定駆動ピニオン６６から外れた状態は図１２に示す状態と同じである。第１のローディングスライダー６８のラックが固定駆動ピニオン６６から外れるタイミングで、第１の切り換えレバー７１は、カムピン７１Ｃと第１のトラバーススライダー６３のカム溝６３Ａとの係合によって回動する。第１の切り換えレバー７１のこの回動によってカムピン７１Ｂが第１のローディングスライダー６８のカム溝６８Ｂ内を摺動することで、第１のローディングスライダー６８をリア側へ移動させる。カム溝６８Ｂの終端部は、第１のローディングスライダー６８がカムピン７１Ｂの旋回によって移動しないカム形状となっている。このカム溝６８Ｂの終端部のカム形状によって第１のローディングスライダー６８を、停止位置にバラツキを生じることなく固定することができる。カムピン７１Ｂがカム溝６８Ｂの終端部に位置することで、第１のローディングスライダー６８の移動を完了する。図１２はこの状態を示している。
図１２に示す状態では、固定駆動ピニオン６６によって第１のトラバーススライダー６３はさらに移動を継続しており、移動駆動ピニオン６７の回転も継続している。従って、第２のローディングスライダー６９はさらにリア側に比較的低速で（第１のトラバーススライダー６３の移動速度と同じ速度で）移動する。
図１２に示す状態から図１３に示す状態に移動する際に、第２の切り換えレバー７２のカムピン７２Ｂは、第１のトラバーススライダー６３に形成されたカム溝６３Ｂによって移動し、第２の切り換えレバー７２は軸７２Ａのフロント側にある軸７２Ｚを中心に回動し、第２の切り換えレバー７２のカムピン７２Ｃは、第２のローディングスライダー６９のカム溝６９Ｂと係合する。
【００２３】
図１３に示すように、第２の切り換えレバー７２のカムピン７２Ｃと第２のローディングスライダー６９のカム溝６９Ｂとが係合した状態で、第２の切り換えレバー７２のカムピン７２Ｂは、第１のトラバーススライダー６３に形成されたカム溝６３Ｂによってさらに移動することで、第２の切り換えレバー７２は中心が、軸７２Ｚから、カムピン７２Ｄの内のフロント側の軸７２Ｙに移り、軸７２Ｙを中心にさらに回動する。カムピン７２Ｄの内の奥側の軸７２Ｘは、軸７２Ｙを中心に回転する時の、切り換えレバー７２の軸７２Ｙからのずれを防止する。この第２の切り換えレバー７２の回動によって、第２のローディングスライダー６９はリア側にさらに移動する。カム溝６９Ｂの終端部は、第２のローディングスライダー６９がカムピン７２Ｃの旋回によって移動しないカム形状となっている。このカム溝６９Ｂの終端部のカム形状によって第２のローディングスライダー６９を、停止位置にバラツキを生じることなく固定することができる。カムピン７２Ｃがカム溝６９Ｂの終端部に位置することで、第２のローディングスライダー６９の移動を完了する。第２の切り換えレバー７２は図示しない付勢バネにより反時計方向に付勢され、カムピン７２Ｂが、カム溝６３Ｂから離れた時にも位置を維持する。なお、図１３の状態から図１４の状態においては、第２のローディングスライダー６９は移動駆動ピニオン６７から切り離された状態にある。
図１４に示す状態で内部トレイ４０の移動は終了し、その後トラバース上昇動作を開始する。図１４に示す状態から図１５に示す状態までは、固定駆動ピニオン６６によって第１のトラバーススライダー６３はさらに移動を継続する。この第１のトラバーススライダー６３の移動によって、トラバースベース２０は、スピンドルモータ２１がベース本体１１と蓋体１２との間で変位し、ディスクのチャッキングを完了する。
【００２４】
ディスクの排出動作は、図１５に示す状態から、逆に図１４、図１３、図１２、図１１に示す状態に動作させる。
すなわち、モーター６１を逆回転させることで、第１のトラバーススライダー６３をリア側に移動させる。図１５から図１４に示す状態では、第１のトラバーススライダー６３のリア側への移動により、トラバースベース２０が下げられる。
図１４から図１３に示す状態では、第２の切り換えレバー７２の動作によって第２のローディングスライダー６９を移動駆動ピニオン６７に係合させる。
図１３から図１２に示す状態では、第１の切り換えレバー７１の動作によって第１のローディングスライダー６８を固定駆動ピニオン６６に係合させる。
そしてさらにモーター６１を逆回転させることで、図１１に示す状態では、第１の切り換えレバー７１の動作によって第１のトラバーススライダー６３を固定駆動ピニオン６６から切り離された状態にし、カム溝の終端部は、第１のトラバーススライダー６３がカムピン７１Ｃの旋回によって移動しないカム形状となっている。このカム溝の終端部のカム形状によって第１のトラバーススライダー６３を、停止位置にバラツキを生じることなく固定することができる。カムピン７１Ｃがカム溝の終端部に位置することで、第１のトラバーススライダー６３のリア側への移動を完了する。
【００２５】
図１６は、第１のトラバーススライダー６３の移動を完了した状態を示している。
図１６に示す状態から図１７に示す状態までは、固定駆動ピニオン６６は第１のローディングスライダー６８だけに回転を伝える。移動駆動ピニオン６７は、第１のローディングスライダー６８とともにフロント側に移動する。移動駆動ピニオン６７自体の移動による回転によって、第２のローディングスライダー６９は比較的高速で（第１のトラバーススライダー６３の移動速度の２倍の速度で）フロント側に移動する。イジェクト位置検出器８４が第１のローディングスライダー６８の位置を検出するとモーター６１の回転を停止する。
イジェクト完了後は、モーター６１を正回転させることで、図１１に示すスタンバイ状態とする。このスタンバイ状態は、スタンバイ検出器８３によって第２のローディングスライダー６９のスタンバイ位置を検出することで行う。スタンバイ検出器８３のスイッチレバーは、リア側へ付勢されている。スイッチレバーのリア側端部は、第２のローディングスライダー６９によりフロント側へ押されると、その後、第２のローディングスライダー６９により斜めに押されて、フレームの斜めカム壁に沿って斜めに移動し、第２のローディングスライダー６９の横に配置される。これによりスイッチレバーが移動することなく、第２のローディングスライダー６９がさらにフロント側へ移動可能になる。第２のローディングスライダー６９がリア側へ移動し、スタンバイ位置近くに来ると、スイッチレバーが移動可能になり、付勢力により、フレームの斜めカム壁に沿って斜めリア側に移動し、第２のローディングスライダー６９とともに、リア側へ移動する。第２のローディングスライダー６９がスタンバイ位置に来た時に、ともに移動しているスイッチレバーの前部の移動をスタンバイ検出器８３が検出し、スタンバイ位置を検出する。
【００２６】
イマージェンシーイジェクトは、図１５に示す状態から、図１６に示す状態に第１のトラバーススライダー６３をリア側へ押して移動させることで行う。
トラバーススライダー６３の移動により、ローディングスライダーを移動させる時、３倍速で移動させる部分を持つことにより、少しのトラバーススライダー６３の移動により、スタンバイ位置よりフロント側への排出を実現する。この時、固定駆動ギア６６は逆回転し、モーターギア部は、出力側からの力で、逆回転可能になっている。
イマージェンシーイジェクト時には、モーター駆動時に第１の切り換えレバー７１の動作によって第１のトラバーススライダー６３が移動させられる位置から、さらにリア側へ第１のトラバーススライダー６３を押して移動させることで、第１の切り換えレバー７１をさらに回転させ、第１のローディングスライダー６８をさらにフロント側へ移動させ、第２のローディングスライダー６９をさらにフロント側へ移動させ、移動距離を大きくしている。
イマージェンシーイジェクトでは、スタンバイ位置よりもフロント側まで、ローディングスライダーを移動させる。これにより、内部トレイ４０は、フロント位置に配置され、ディスクの保持は解除され、セレクトレバー４２は内部トレイ４０上で、ディスクを少しフロント側へ移動させた位置まで移動させられる。この時セレクトレバー等のフロント側への付勢により、ディスクはフロント側へ付勢され、ディスクの移動の摩擦抵抗が少ない時には、ディスクはイジェクト位置まで排出される。
【００２７】
以上のように本実施例によれば、第２のローディングスライダー６９の移動量を、第１のローディングスライダー６８の移動量に対して３倍の移動量とすることができ、限られたスペースで大きなストロークを確保することができる。
また、本実施の形態によれば、第１のトラバーススライダー６３、第１のローディングスライダー６８、及び第２のローディングスライダー６９を前後方向の動きとすることで、フロント面からの押し込み操作による手動動作が可能な構成を実現できる。
また、本実施の形態によれば、第１のトラバーススライダー６３を第２のローディングスライダー６９の移動にも利用することで、第２のローディングスライダー６９の移動量を大きくすることができる。
【産業上の利用可能性】
【００２８】
本発明は、ＣＤ、ＤＶＤ等のディスク状記録媒体の記録または再生を行うディスク装置に利用できる。
【図面の簡単な説明】
【００２９】
【図１】本発明の一実施例におけるディスク装置のシャーシ外装を示す外観斜視図
【図２】同ディスク装置のベース本体の主要部を示す概念構成図
【図３】同ディスク装置の内部トレイの主要部を示す概略構成図
【図４】同ディスク装置の駆動ユニットの主要部を示す概略構成図
【図５】同ディスク装置の内部トレイにおける大径ディスクの挿入状態を示す平面図
【図６】同ディスク装置の内部トレイにおける大径ディスクの挿入状態を示す平面図
【図７】同ディスク装置の内部トレイにおける大径ディスクの挿入状態を示す平面図
【図８】同ディスク装置の内部トレイにおける小径ディスクの挿入状態を示す平面図
【図９】同ディスク装置の内部トレイにおける小径ディスクの挿入状態を示す平面図
【図１０】同ディスク装置の内部トレイを示す斜視図
【図１１】同ディスク装置のスタンバイ状態を示すスライダー機構の要部平面図
【図１２】同ディスク装置のローディングスライダー移動完了状態を示すスライダー機構の要部平面図
【図１３】同ディスク装置の引き込み完了手前の状態を示すスライダー機構の要部平面図
【図１４】同ディスク装置の引き込み完了状態を示すスライダー機構の要部平面図
【図１５】同ディスク装置のローディング完了状態を示すスライダー機構の要部平面図
【図１６】同ディスク装置の第１のトラバーススライダー移動完了状態を示すスライダー機構の要部平面図
【図１７】同ディスク装置のイジェクト移動完了の状態を示すスライダー機構の要部平面図
【符号の説明】
【００３０】
１０  シャーシ外装
１１  ベース本体
１２  蓋体
１４  ディスク挿入口
２０  トラバースベース
２１  スピンドルモータ
２２  ピックアップ
２３  駆動手段
４０  内部トレイ
４１  ロードレバーＲ
４１Ａ、４２Ａ  ディスク当接部
４２  セレクトレバー
６０  スライダー機構
【図１】
2008165867.tif 000003
【図３】
2008165867.tif 000004
【図４】
2008165867.tif 000005
【図５】
2008165867.tif 000006
【図６】
2008165867.tif 000007
【図７】
2008165867.tif 000008
【図８】
2008165867.tif 000009
【図９】
2008165867.tif 000010
【図１０】
2008165867.tif 000011
【図１１】
2008165867.tif 000012
【図１２】
2008165867.tif 000013
【図１３】
2008165867.tif 000014
【図１４】
2008165867.tif 000015
【図１５】
2008165867.tif 000016
【図１６】
2008165867.tif 000017
【図１７】
2008165867.tif 000018
【図２】
2008165867.tif 000019